(57)【要約】【課題】空気５が吸い込まれる又は吐き出される際に通る少なくとも１つの管路４を有する少なくとも１つのパイプ部分３と、パイプ部分のうちの１つの自由端に配置された第１自由端９を備え、１つの流れ方向６における吸い込み又は吐き出しの間、空気の流通のために振動できる少なくとも１つの弾性ホース８と、を有する、呼吸問題の治療のための気道用治療装置１においては、ホース８は、指の可動性が制限された又は手の器用さが低い人々によっても真っ直ぐ且つ簡単なプロセスで交換できるべきである。【解決手段】この課題は、ホースの第１自由端９の円周が、パイプ部分の自由端の管路４の円周と等しいかそれよりも小さく、ホース８の第１自由端の長手サイド１４のうちの１つの幅ｂが、管路４の幅又は直径ｄより大きく、長手サイドを圧縮することでホースの領域を管路に挿入でき、挿入後にホース８が予圧力により管路４内に保持されることで達成される。【選択図】図１ｂ
2017213362.tif 000002
【特許請求の範囲】
【請求項１】
空気（５）が吸い込まれる又は吐き出される際に通る少なくとも１つの管路（４）を有する少なくとも１つのパイプ部分（３）と、
前記パイプ部分（３）のうちの１つの自由端に配置された第１自由端（９）を備え、１つの流れ方向（６）における吸い込み又は吐き出しの間、空気の流通のために振動できる少なくとも１つの弾性ホース（８）と、を有する、呼吸問題の治療のための気道用治療装置（１）において、
前記ホース（８）の前記第１自由端（９）の円周が、前記パイプ部分（３）の自由端の前記管路（４）の円周と等しいかそれよりも小さく、
前記ホース（８）の前記第１自由端（９）の長手サイド（１４）のうちの１つの幅（ｂ）が、前記管路（４）の幅又は直径（ｄ）より大きく、
前記長手サイド（１４）を圧縮することで前記ホース（８）の領域を前記管路（４）に挿入でき、及び、
挿入された後で前記ホース（８）が予圧力により前記管路（４）内に保持される、ことを特徴とする気道用治療装置。
【請求項２】
１又は複数の膨出部（１１）が、前記管路（４）に面する側において前記ホース（８）の前記第１自由端（９）に配置され、前記膨出部（１１）は前記管路（４）内でラメラシール（１３）を形成する、ことを特徴とする請求項１に記載の気道用治療装置（１）。
【請求項３】
１又は複数の溝（１２）が、前記ホース（８）の前記第１自由端（９）の領域において前記管路（４）に加工され、前記管路（４）における前記溝（１２）が、前記ホース（８）と前記パイプ部分（３）の間の前記ラメラシール（１３）を形成する、ことを特徴とする請求項２に記載の気道用治療装置（１）。
【請求項４】
前記溝（１２）は前記ホース（８）上の前記膨出部（１１）の寸法に適合され、前記膨出部（１１）は前記溝（１２）に係合し、前記ホース（８）が、前記膨出部（１１）と前記溝（１２）との形状ロック接続によって前記管路（４）内に保持される、ことを特徴とする請求項２又は３に記載の気道用治療装置（１）。
【請求項５】
前記ホース（８）の前記第１自由端（９）が漏斗形状を有し、入口開口が当該漏斗形状により形成される、ことを特徴とする請求項１〜４のいずれか一項に記載の気道用治療装置（１）。
【請求項６】
前記管路（４）は、少なくとも１つの管路分岐（２１）により複数の管路枝管（２２，２３）に分けられ、弁（２４）が前記管路枝管（２２，２３）の各々に配置され、当該弁（２４）が特定のパイプ部分（３）において前記流れ方向（６）を確立する、ことを特徴とする請求項１〜５のいずれか一項に記載の気道用治療装置（１）。
【請求項７】
ホース（８）が、前記管路枝管（２２，２３）の各々に挿入され、前記弁（２４）のために吸い込み及び吐き出しの間、空気が前記管路枝管（２２，２３）の２つの内部を交互に流れ、当該の前記ホース（８）が振動する、ことを特徴とする請求項６に記載の気道用治療装置（１）。
【請求項８】
前記ホース（８）は平坦な又は楕円形状のホース（８）として形成される、ことを特徴とする請求項１〜７のいずれか一項に記載の気道用治療装置（１）。
【請求項９】
前記ホース（８）がシリコンから製造される、ことを特徴とする請求項１〜８のいずれか一項に記載の気道用治療装置（１）。
【請求項１０】
マウスピース（２）が前記パイプ部分（３）の１つに配置される、ことを特徴とする請求項１〜９のいずれか一項に記載の気道用治療装置（１）。
【発明の詳細な説明】
【技術分野】
【０００１】
本発明は、特許請求項１のいわゆる「おいて部分」に従う気道用治療装置に関する。
【背景技術】
【０００２】
この種の気道用治療装置は特許文献１に開示されている。この気道用治療装置は、人の呼吸を改善するために使用され、一般にマウスピースと、マウスピース上のノズルに嵌められたホースから成る。さらに、ホースは、ホースに曲率を与える渦巻き型の又は湾曲したパイプ部分で取り囲まれている。吐き出し（呼出）の間、息がホースに押し込まれ、ホースはパイプ部分の曲率に依存して振動するように仕向けられている。
【０００３】
このような気道用治療装置は様々な方法で実際に効果的であると判明しており、顕著な呼吸の問題を抱える喘息患者の治療のために、また精鋭のスポーツマンが肺のボリュームを増加させて呼吸プロセスを改善させるのにも使用される。
【０００４】
しかしながら、ホースは弾性ポリマーから作られていて、パイプ部分又はマウスピースのノズルに嵌められた管を有するので、ホースを交換するには或る量の手の器用さが必要であることが不都合だと判明している。この目的のために、ホースは初めに拡張されなければならず、それでホースは次にノズル上を滑動できる。特に、ホースを交換することは、指の可動性が制限された又は指の器用さが低い患者にとって顕著な障害となる。
【先行技術文献】
【特許文献】
【０００５】
【特許文献１】ＥＰ２０８７９２７Ａ１
【発明の概要】
【発明が解決しようとする課題】
【０００６】
ゆえに、本発明の課題は、指の可動性が制限された又は指の器用さが低い人々によってもそのホースが真っ直ぐ且つ簡単なプロセスで交換できるように、前述した種類の呼吸問題の治療のための気道用治療装置を創出することである。それを用いることで、所望の治療効果が生じるように、患者は息の吸い込み及び吐き出し時に彼／彼女の呼吸導管を引きずることができる。
【０００７】
さらに、本発明の課題は、個々の構成部品が安価で、操作しやすく、使い勝手良く掃除又は殺菌消毒することができる気道用治療装置を提供することである。
【課題を解決するための手段】
【０００８】
これらの課題は、特許請求項１の「おいて部分」の特徴によって達成される。
【０００９】
本発明の更なる有利な構成は従属請求項に開示される。
【００１０】
ホースの自由端の円周（外周）が、パイプ部分の自由端の管路の円周（外周）と等しいかそれよりも小さいこと、ホースの第１自由端の長手サイドのうちの１つの幅がパイプ部分の自由端の管路の幅又は直径より大きいこと、長手サイドを圧縮することでホースの領域を管路に挿入できること、及び、挿入された後でホースが予圧力により管路内に保持されることによって、指の可動性が制限された又は指の器用さが低い人々によってもホースを真っ直ぐ且つ簡単に挿入できる。ホースは、一緒に僅かに押さえるか長手サイドを圧縮することにより、伸びることなくパイプ部分に手動で挿入できる。挿入及び解放後は、ホースは、その弾性特性の結果その初期状態に戻ろうとし、長手サイドは張力の状態のために管路に押し付けられる。ホースは管路に接触し、その結果、吐き出された空気はホース内に導かれ、空気がホースを貫流するときにそれを振動させる。
【００１１】
さらに、１又は複数の膨出部を、管路に面する側においてホースの第１自由端に配置すると有利であることが判明した。膨出部はホースから外側に突出し、挿入されると、ラメラシールの形式でホースと管路の間の空隙を密封する。結局、ホースとパイプ部分の間の空隙を通る呼気のどんな流れも最大に可能な程度防がれる。
【００１２】
ホースとパイプ部分の間のラメラシールを形成する、１又は複数の溝又は段部（肩部）をホースの第１自由端の領域に加工又は形成すると有利である。さらに、溝はホース上の膨出部の寸法に適合されてもよく、その結果、ホース上の膨出部は溝に係合する。これは、まずはホースが形状ロック接続によって管路に保持される一方、第二に装置がラメラシールにおいて良好な密封効果を達成することを意味する。
【００１３】
加えて、管路を少なくとも１つの管路分岐によって複数の管路枝管に分割すると有利であることが判明した。管路枝管の各々は、そこに配置された弁であって、特定の管路枝管において流れ方向を確立する弁を有する。したがって、ホースが流れ方向に従って管路枝管の各々に挿入でき、その結果、管路枝管は、息の吸い込みと吐き出しの間に弁のために管路枝管を通って交互に流れる空気を有し、対応する弁が振動する。
【００１４】
有利な実施形態では、ホースは、平坦なホース又は楕円形状のホースとして構成される。他方で、管路は回転対称であり、平坦なホースの幅は管路の直径よりも大きい。
【００１５】
ホースの第１自由端もまた楕円形状を有してもよく、その場合、ホースの円周は管路の円周と等しいかそれよりも小さく、ホースの最も幅広い長手サイドはホースの直径より大きいか、その逆も同様である。
【００１６】
図面は、本発明に従い構成された１つの例示の実施形態と２つの更なる実施形態の変形例を示す。その詳細を以下に説明する。
【図面の簡単な説明】
【００１７】
【図１ａ】マウスピースが加工又は形成された第１自由端にて管路を形成するパイプ部分を備えた気道用治療装置を示す。ホースが第２自由端の管路に挿入されている。
【図１ｂ】図１ａに従う気道用治療装置を示し、呼気がマウスピースを通って流れ方向に吹かれ、ホースが振動させられている。
【図２ａ】図１ａに従うホースの平面図である。
【図２ｂ】図１ａに従うホースの側面図である。
【図３】図１ａに従う、流れ方向を横断する切開図である。
【図４】図１ｂに従う、流れ方向を横断する切開図である。
【図５】図１ａに従う、気道用治療装置を横断する切開図である。
【図６】ホースから突出した膨出部が係合する管路に加工された溝を有する、図１ａに従う第２の実施形態の変形例の切開図である。
【図７】１つの管路分岐と２つの弁を備えた本発明に従う気道用治療装置の第３の実施形態の変形例の切開図である。弁の各々は、空気を、吸い込み及び吐き出し（逆の場合も同じ）の間に特定の管路分岐を貫流させる。
【発明を実施するための形態】
【００１８】
図１ａは、パイプ部分３から形成された患者の呼吸を改善するための気道用治療装置１を示す。パイプ部分３は、直径ｄを有するその内側に円筒形管路４を有する。パイプ部分３の第１自由端は、それに取り付けられたマウスピース２を有し、マウスピースは、まずは患者にとって快適な気道用治療装置１のための口の支持を創出し、第二に管路４のための開口を形成する。マウスピース２から離れたパイプ部分３の側では、ホース８が部分的に、管路４内にガイド又は挿入されている。
【００１９】
図１ｂは、作動状態における気道用治療装置１を示す。呼気は、マウスピース２の開口７を通って一方の流れ方向６に管路４に押し込まれる。呼気５は管路４を貫流し、これを通ってホース８に入る。空気の流れが十分で、ホース８内で振動を誘起すると、呼気５はホース８を広げる。
【００２０】
指の可動性が制限された患者によってもホース８を複雑でなく組み立てられ、それが使用中に不注意により滑り落ちないようにするために、以下に図２ａ〜５に示すように、ホース８は、力ロック接続及び／又は形状ロック接続により又は予圧力により管路４内に保持される。気道用治療装置１が使用された後は、ホース８は、たいして苦労せずに掃除するために又は廃棄するために管路４から引き出すことができる。
【００２１】
この目的のために、特に図２ａ及び図２ｂに示されているように、ホース８は、平坦なホース８又はその第１自由端９に形成又は加工された複数の膨出部１１を備えた楕円ホース（ｂ＞＞ａ）として形成される。両方の長手サイド１４に沿って、ホースシーム１８が平坦なホース８の下半体と上半体を互いに接続する。ホース８の内側は、ホース８の２つの内側が互いに張り付くことを防止する剥離剤を備えている。
【００２２】
ホース８は、弾性材料、好ましくはシリコンから製造されている。ホース８の幅ｂ−２つの長手サイド１４の間の距離−は、管路４の直径ｄより大きく、ホース８の長さｌはその幅ｂの倍数に一致する。
【００２３】
平坦なホース８は、管路４に挿入するために第１自由端９にて圧縮される。その結果、平坦なホース８の幅ｂ’は管路の直径ｄより小さくなる（ｂ＞ｄ＞ｂ’）。次いで、ホース８の領域は管路４に挿入又はガイドされ、ホースが解放されるとすぐに、ホース８はその弾性特性のために元の形状に戻ろうとする。しかしながら、管路４の直径ｄはその初期状態においてホース８の幅ｂより小さく、これは、ホース８の長手サイド１４が管路４の２つの反対側に対して押し付けられることを意味する。その結果、図３に示すように、パイプ部分３とホース８との力ロック接続又は摩擦ロック接続が確立される。したがって、ホース８の第１自由端９の２つの長手サイド１４は挿入状態において面で管路４と接触している。
【００２４】
この目的のために、ホース８は少なくとも弾性材料から製造されなければならず、十分な剛性Ｉを有しなければならない。高い流量又は最大呼気圧力においても管路４内にホース８を保持するために、ホース８と管路４との力ロック接続を形成する予圧力は十分大きくなければならない。
【００２５】
一般に、ホース８の第１自由端は、０．２５ｄ〜２ｄだけ管路４内に挿入されるが、この寸法値は多数の要因に依存して著しく変わってもよい。重要なパラメーターは、ホース８の弾性と剛性（ＥＩ）の関数としての予圧力、挿入深さ、及び、ホース８と管路４の摩擦である。
【００２６】
平坦なホース８を管路４に挿入する前の長手サイド１４の圧縮は、第１自由端９における上側及び下側が互いから分離し、吹き入れ開口１５がホース８に形成されることを意味する。吐き出しの間は、特に図４に示されるように、ホース８は空気流れによって完全に開けられ、管路４に押し付けられる。
【００２７】
ホース８の構造の結果、ホース８の円周は管路４の円周より小さいので、ホース８と管路４の間には僅かな空隙１６が残る。最も効果的な可能な方法でこの空隙１６を密封するために、複数の膨出部１１が管路４に面するホース８の側に形成され、それらがラメラシール１３の方法によって最も効果的な可能な方法で空隙１６を密封する。
【００２８】
特に図５では、全ての膨出部１１が管路４に接触するまで、ホース８が管路４内に少なくとも十分深く押し込まれなければならないことが分かる。挿入深さは、ホース８上の印によって付加的に示すこともできる。
【００２９】
図６は、管路４がそこに加工された複数の溝１２を有する、気道用治療装置１の別な実施形態の変形例を示す。溝１２はまず、ホース８と管路４の間の空隙１６のラメラシール１３を形成する。第二に、それらはホース８上の膨出部１１の寸法に適合でき、その結果、ホース８が挿入されたときに膨出部１１が溝１２と係合する。結局、力ロック接続に加えて、形状ロック接続が形成される。
【００３０】
したがって、ホースは、まず管路の２つの反対側に対して２つの長手サイド１４を押し付ける予圧力により、次に膨出部１１と溝１２との形状ロック接続により、保持される。
【００３１】
真っ直ぐな装置では、溝１２は、パイプ部分３から管路４に突出する段部１７として構成されてもよい。段部１７は、まずホース８用のストッパを形成し、及び／又は、次にラメラシール１３を形成する。
【００３２】
それに代えて、パイプ部分３の管路４は、第２自由端にて連続的に増大するその直径ｄを有する円錐形装置内に構成されてもよく、その結果、ホース８は挿入の間これに締め付けられる。
【００３３】
図７は、本発明に従う気道用治療装置１の第２の実施形態の変形例を示す。気道用治療装置１は、モジュール装置内に相互接続された多数のパイプ部分３から形成される。パイプ部分３の各々は、２つのパイプ部分３が気密シールを作って共に接続されることを可能にするプラグ・ソケット装置２５を有する。
【００３４】
管路分岐２１が、管路４を第１及び第２管路枝管２２，２３に分割するパイプ部分３のうちの１つに配置される。パイプ部分３は、プラグ・ソケット装置２５によりマウスピース２上に配置され、それは、特定の管路枝管２２，２３のための１つの流れ方向６を与える２つの弁２４を有する。したがって、弁２４を介して息を吐き出す際、管路枝管２２は開き、呼気５は第１管路枝管２２を介してホース８に流れる。息を吸い込む際、第１管路枝管２２における弁２４は閉じ、第２管路枝管２３における弁２４は開き、それで患者は気道用治療装置１を用いて、息の吐き出しと吸い込みの両方を行うことができる。
【００３５】
真っ直ぐな態様では、管路４内のその自由端１０がマウスピース２の方を向くように、第２のホース８が第２管路枝管２３に配置されてもよい。
【００３６】
ホース８の第１自由端９は円錐形構造を有してもよく、その結果、ホース８の入口開口１５が僅かに開けられ、開いた入口開口１５を有する。したがって、ホース８又はその第１自由端９は楕円断面（ａ＜ｂ）を有する。この場合、ホース８の幅ｂは管路４の直径ｄより大きく（ｂ＞ｄ）、ホース８の円周は管路４の円周と等しいかそれよりも小さい（２×ｂ≦π×ｄ）。
【００３７】
管路４は、非回転対称な断面形状、例えば矩形、三角形などを有してもよい。特に、真っ直ぐな態様では、患者の口の開口比に適合できる幅と高さの比（ａ：ｂ）を有する楕円断面が可能である。
【００３８】
ホース８の第１自由端９の円周が、寸法の点でパイプ部分３の内周より小さいか、管路４の円周より小さく、またホース８の長手サイド１４の一方の幅ｂが、管路４内のホース８の長手サイド１４の可能な接触点間の距離より大きいことが重要である。接触点は管路の２つの反対側に配置され、２つの接触点を接続する線が管路の領域の重心と交差する。
【符号の説明】
【００３９】
１  気道用治療装置
３  パイプ部分
４  管路
５  空気
６  流れ方向
８  弾性ホース
９  第１自由端
１４  長手サイド
【図１ａ】
2017213362.tif 000003
【図１ｂ】
2017213362.tif 000004
【図２ａ】
2017213362.tif 000005
【図２ｂ】
2017213362.tif 000006
【図３】
2017213362.tif 000007
【図４】
2017213362.tif 000008
【図５】
2017213362.tif 000009
【図６】
2017213362.tif 000010
【図７】
2017213362.tif 000011
【外国語明細書】
2017213362000001.pdf
2017213362000002.pdf
2017213362000003.pdf
2017213362000004.pdf